(57)【特許請求の範囲】
【請求項１】
ねじ山の直径がパチンコ球の直径より小径なるように形成されたリードスクリューと、該リードスクリューを回転させるパルスモータと、該リードスクリューの両側に形成された２列の球移動樋と、光軸が該リードスクリューの外側で前記両球移動樋を跨って過ぎるように設けられた投光器および受光器とからなり、両球移動樋を流下するパチンコ球が該光軸を遮ることにより計数されるようにすると共に、両球移動樋の内面を該光軸と直交する互いに反対方向にずらして両球移動樋を流下するパチンコ球が該光軸を遮る深さに差を持たせることにより、一方の球移動樋を流下するパチンコ球が該光軸を遮断する時間が他方の球移動樋を流下するパチンコ球が該光軸を遮断する時間よりも常に短くなるようにし、その遮断時間計測によっていずれの球移動樋を流下するパチンコ球の信号かが判別されるようにしたことを特徴とするパチンコ遊技機における球払出装置。
【発明の詳細な説明】
【０００１】
【発明の属する技術分野】
本発明は、リードスクリューを回転させることによって所期の数のパチンコ球を払出通路に払い出すパチンコ遊技機における球払出装置に関するものである。
【０００２】
【従来の技術】
パチンコ遊技機における球払出装置には、従来から種々の形態があり、パルスモータによりリードスクリューを回転させ、その回転数を制御することにより所期数のパチンコ球を払い出すように構成したものもそのうちの一つである。
【０００３】
ところで、従来より一般にパチンコ遊技機の球払出装置は、球移動樋が２列に設けられ短時間で多数のパチンコ球を払い出しできるようにし入賞が集中した場合にも対応できるように構成されている。
【０００４】
そのために、従来の球払出装置ではパチンコ球を計数する近接センサ，光センサ等の感知器を球移動樋ごとに夫々設ける必要があった。しかし、複数の感知器を設けるとコストが高くなるほか、信号処理が煩雑になるなどの問題があった。
【０００５】
【発明が解決しようとする課題】
そこで本発明は、２列の球移動樋のパチンコ球を１つの計数用センサで検知し得るようにし、従来の上記のような問題点を解消しようとするものである。
【０００６】
【課題を解決するための手段】
そのために本発明のパチンコ遊技機における球払出装置は、ねじ山の直径がパチンコ球の直径より小径なるように形成されたリードスクリューと、該リードスクリューを回転させるパルスモータと、該リードスクリューの両側に形成された２列の球移動樋と、光軸が該リードスクリューの外側で前記両球移動樋を跨って過ぎるように設けられた投光器および受光器とからなり、両球移動樋を流下するパチンコ球が該光軸を遮ることにより計数されるようにすると共に、両球移動樋の内面を該光軸と直交する互いに反対方向にずらして両球移動樋を流下するパチンコ球が該光軸を遮る深さに差を持たせることにより、一方の球移動樋を流下するパチンコ球が該光軸を遮断する時間が他方の球移動樋を流下するパチンコ球が該光軸を遮断する時間よりも常に短くなるようにし、その遮断時間計測によっていずれの球移動樋を流下するパチンコ球の信号かが判別されるようにしたことを特徴とする。
【０００７】
【発明の実施の形態】
次に図面に従い本発明の実施形態を説明する。図１〜図３において、１はリードスクリュー、２は該リードスクリューを回転させるパルスモータである。該リードスクリュー１は、ねじ山１ａの直径が７ｍｍ程でパチンコ球３の直径（約１１ｍｍ）より小径なるように形成されている。４はパルスモータ２に固着されたプラスチック製のケースで、該ケースには、一対の球移動樋５ａ，５ｂが該リードスクリューを両側対称位置から挟むように形成され、該球移動樋５ａ，５ｂの上方は通路６ａ，６ｂがクランク形に折れ曲がっていて、該各通路にパチンコ球３が景品球タンク（図示せず）から整流樋を介して一列に整列して自重で流下してくる。また、一対の球移動樋５ａ，５ｂの下端７ａ，７ｂは開放されていて景品球払出樋に連通している。
【０００８】
９はケース４の外側に固着したコ字形の取付枠で、該取付枠の両端部に半導体からなる投光器１０と受光器１１とが向かい合わせに設けられ、その光軸１２がリードスクリュー１の外側で両球移動樋５ａ，５ｂを跨って過ぎるように設けられる。そして、パチンコ球３が該光軸１２を遮ることにより両球移動樋５ａ，５ｂを通過するパチンコ球が計数される。なお、１３はケース４の下端７ａ，７ｂの間に横架状に形成された軸受で、該軸受にリードスクリュー１の先端に形成した小軸１４を軸支することにより該リードスクリュー１の支持を安定化させている。
【０００９】
この実施形態では、球移動樋５ａ，５ｂをリードスクリュー１を両側対称位置から挟むように形成したことで、該リードスクリュー１にパチンコ球圧力が両側から均等に掛るようになり、バランスが保たれるのでリードスクリューを変形あるいは変摩耗させるおそれをなくす。
【００１０】
パルスモータ２は図示しない球払出制御回路により回転，停止が制御され、リードスクリュー１を回転させることによって両球移動樋５ａ，５ｂ中のパチンコ球を流下させ、下端７ａ，７ｂより景品球払出樋に排出させる。そして、両球移動樋５ａ，５ｂを通過するパチンコ球は光軸１２を遮断するので、受光器１１から得られる電気信号が該球払出制御回路に入力され、パルスモータ２の回転が制御されることによって、所定数のパチンコ球を景品球払出樋に排出し得る。
【００１１】
なお、両球移動樋５ａ，５ｂを上記のようにリードスクリュー１の両側対称位置に設けることによって、両球移動樋５ａ，５ｂをパチンコ球が交互に流下するので、２つのパチンコ球が重なって光軸を遮断するようなおそれがなく、それによって計数ミスを起こすようなおそれもない。また本発明では、光の遮断でパチンコ球を検知する光センサを用いたことで、金属の近接で検知する近接センサよりも高精度な検出が可能となり信頼性も高まる。
【００１２】
一方、図４〜図６に示した実施形態は、上記図１〜図３の実施形態と同様に、ねじ山１ａの直径がパチンコ球３の直径より小径なるように形成されたリードスクリュー１と、該リードスクリュー１を回転させるパルスモータ２と、該リードスクリュー１の両側に形成された２列の球移動樋５ａ，５ｂと、光軸１２がリードスクリュー１の外側で両球移動樋５ａ，５ｂを跨って過ぎるように設けられた投光器１０および受光器１１とからなり、両球移動樋を通過するパチンコ球３が光軸１２を遮ることにより計数されるようにしたものであるが、この実施形態では、球移動樋５ａ，５ｂがリードスクリュー１を両側対称位置よりも一方に少しずれて形成され、そのずれた側に光軸１２が両球移動樋５ａ，５ｂを跨って過ぎるように投光器１０および受光器１１を設けている。
【００１３】
このため、投光器１０と受光器１１との距離が上記実施形態の場合よりも若干縮小され光の減衰が少なくなるので受光感度を上げることができる利点がある。また、この実施形態のように投光器１０と受光器１１を夫々球移動樋５ａ，５ｂの隅角部に設けたことによって、パチンコ球３との接触によってケース４に付着するゴミや汚れが光軸１２から離間させることができるので、ゴミや汚れがその光軸を遮り検知不能になるのを防止することができる。
【００１４】
またこの実施形態に示した球払出装置では、リードスクリュー１は図６に矢印で示した方向に回転し、球移動樋５ａを流下するパチンコ球３はその自重によってケース４の一方の側壁４ａの内面に接触し、また他方の球移動樋５ｂを流下するパチンコ球３はその自重によってケース４の他方の側壁４ｂの内面に接触するが、そのとき該各パチンコ球３が光軸１２を遮る深さを夫々図示したようにｇ１，ｇ２とすると、常にｇ１＜ｇ２となるように該側壁４ａ，４ｂの内面を設定すれば、パチンコ球３がたとえ揺動してもこの関係が保たれるので、球移動樋５ａを流下するパチンコ球３が光軸１２を遮断する時間ｔ１は、図７に示したように球移動樋５ａを流下するパチンコ球３が光軸１２を遮断する時間ｔ２よりも常に短くなる。このためその時間計測によっていずれの球移動樋を流下するパチンコ球の信号かを判別することも可能となる。なおまたこの実施形態では、ケース４のパチンコ球３が常時接触する側の側壁４ａ，４ｂを他の部分よりも厚く成形することによって球圧力に対する強度、および摩耗，耐久性を向上させている。
【００１５】
また、これらの実施形態では、リードスクリュー１を鉛直に設けた例を示したが、リードスクリュー１は水平、または傾斜状に設けたものとしてもよい。
【００１６】
【発明の効果】
このように本発明に係るパチンコ遊技機の球払出装置は、２列の球移動樋に光軸が跨って過ぎるように設けることによって、投受光器からなる感知器を１つ設けるだけで両球移動樋を通過するパチンコ球を計数できるようになる。このため複数の感知器を設けるよりも製造コストが軽減されるとともに、信号処理も容易になるなどの効果がある。
【図面の簡単な説明】
【図１】本発明に係る球払出装置の実施形態を示す縦断面図。
【図２】図１のＡ−Ａ線断面図。
【図３】図１のＢ−Ｂ線断面図。
【図４】本発明に係る球払出装置の他の実施形態を示す縦断面図。
【図５】図４のＣ−Ｃ線断面図。
【図６】図４のＤ−Ｄ線断面図。
【図７】光センサによるパチンコ球の検出信号を表わすタイミングチャート。
【符号の説明】
１          リードスクリュー
１ａ        ねじ山
２          パルスモータ
３          パチンコ球
５ａ，５ｂ  球移動樋
１０        投光器
１１        受光器
１２        光軸
【図１】
0004272731.tif 000002
【図２】
0004272731.tif 000003
【図３】
0004272731.tif 000004
【図４】
0004272731.tif 000005
【図５】
0004272731.tif 000006
【図６】
0004272731.tif 000007
【図７】
0004272731.tif 000008